(57)【要約】【課題】使い捨て箸を着脱することができ、再使用が可能な箸用の保持具を提供する。【解決手段】ワンタッチジョイント４０の上端は、棒状の握り体３０の底端部を接合し固定する。ワンタッチジョイント４０のもう一方の端は、差込み穴４３を形成し、短い使い捨て箸２０の上端をはめ込み位置決めをする。このような保持具によると、使い捨て箸の長さを短くすることができるため、使い捨て箸の使用量を減らすことができ、握り体を再使用することができる。【選択図】図３
0003143925.tif 000002
【実用新案登録請求の範囲】
【請求項１】
棒状の握り体と、
使い捨て箸の上端をはめ込み位置決めをするワンタッチジョイントと、
を備え、
前記ワンタッチジョイントの上端は前記握り体の底端部を繋ぎ固定し、前記ワンタッチジョイントのもう一方の端は差込み穴を形成することを特徴とする箸用の保持具。
【請求項２】
前記握り体は円形、方形、多辺形及び幾何形状のいずれか一つであることを特徴とする請求項１に記載の箸用の保持具。
【請求項３】
前記握り体はプラスチック及び金属材料のうちのいずれか一つであることを特徴とする請求項２に記載の箸用の保持具。
【請求項４】
前記ワンタッチジョイントは、
前記握り体の底端部をつないで固定する凹溝を上端に設け、底部に口が下を向いている差込み穴を形成するジョイント本体と、
前記ジョイント本体の外周縁のへこみ面との間に、第一スプリングを設ける外環カバーと、
前記差込み穴内に設けられる少なくとも１個のストッパーエレメントと、
前記差込み穴の外周壁にはめ込まれ、前記外環カバーの下端に用いられる少なくとも１個のストッパーエレメントと、
を有することを特徴とする請求項１に記載の箸用の保持具。
【請求項５】
前記差込み穴内の底面は、更に第二スプリングを有し、前記第二スプリングの自由端はばね頂部を有することを特徴とする請求項４に記載の箸用の保持具。
【請求項６】
前記ストッパーエレメントは、ボールを有し、前記ボールは前記ジョイント本体の壁面の取付穴内に取り付けられ、前記取付穴は外が広くて内が狭く、前記ボールは前記差込み穴内で球体の１／２より小さい部分が突出しており、前記外環カバーの内縁面は前記取付穴の外側面に対応して前記ボールを押す凸面を有し、前記ボールを前記差込み穴内の使い捨て箸に止めることを特徴とする請求項４に記載の箸用の保持具。
【請求項７】
前記差込み穴内の前記ボールの位置に対応する位置決め部を有することを特徴とする請求項６に記載の箸用の保持具。
【請求項８】
前記使い捨て箸は、９ｃｍ以内であることを特徴とする請求項１または７に記載の箸用の保持具。
【考案の詳細な説明】
【技術分野】
【０００１】
本考案は、箸用の保持具に関し、特に使い捨て箸を着脱することができ再使用が可能な箸用の保持具に関する。
【背景技術】
【０００２】
一般に飲食では食物を挟む箸は、ほとんど竹や木で一体成型されている。どれも一定の長さを有し、それにより使用者の手指による操作を便利にしており、現在ではその長さはおよそ１７ｃｍである。
竹や木の箸を製造するためには、大量の樹木の伐採が必要である。そのため、地球上の森林面積が早いスピードで減少し、地球環境及び気候に対して大きな影響を及ぼしている。このため、省エネ及び排出削減を広めることは、地球環境の保護の有効な方法の一つである。いかにして省エネ及び排出削減の成果を顕著に上げるのかを政府及び企業に任せるだけでは足りず、我々の日常生活のさまざまな小さな所から省エネ及び排出削減を行っていくことで、もっとも大きな成果を得ることができる。つまり、各個人が自分から行い、小さい所から始めるという概念が必要なのである。
【０００３】
使い捨て箸を例に取ると、使い捨て箸は使用においてはその利便性と衛生性があるが、一度使ったらすぐ捨てるため、環境保全には適っておらず、特に外食人口の急速な増加に伴い、使い捨て箸の使用量が大幅に上昇していった。そのため、竹や木の伐採が大きく増加し、環境への影響を無視することができなくなった。
現在一般的に使用される使い捨て箸１０は、図１にあるように、その全長Ｌ１は約１７ｃｍであるが、実際に食物と接触する部分Ｌ２は約５ｃｍであり、握り部分は約１２ｃｍである。そのため、目に見えない所で多くの無駄が生じている。現在ではエコロジー箸の使用がみられるが、外食する人が外で使用した後、便利に箸を洗う方法はない。そのため一般的には少しぬぐった後、直接しまって家に帰ってから洗う方法を採る。しかし、時には家に帰ると忘れてしまい、すぐに洗わなかったために細菌の繁殖という状況が生まれ、人体の健康にとって害が生じることもある。そのため、従来の方法ではまだ不便な点があり、改善をする必要がある。
【考案の開示】
【考案が解決しようとする課題】
【０００４】
本考案の主な目的は、使い捨て箸を繋ぐ又は離すことができ、再使用が可能な箸用の保持具を提供することにある。
本考案のもうひとつの目的は、使い捨ての箸の取り外し及び取り付けがワンタッチででき再使用が可能な箸用の保持具を提供することにある。
【課題を解決するための手段】
【０００５】
上記の目的を達するため、本考案の箸用の保持具の握り体は、棒状である。ワンタッチジョイントは、その上端は前記握り体の底端部に接合されて固定され、対応するもう一方の端は差込み穴の挟持部を形成し、短い使い捨て箸の上端をはめ込み、位置決めをする。
本考案によると、これまでの使い捨て箸の長さを半分にし、更に使い捨て箸の使用量を半分に減らすことができ、省エネルギー及び排出削減のエコロジー効果を奏することができる。
【考案を実施するための最良の形態】
【０００６】
以下、本考案を図面に基づいて説明する。
（一実施形態）
図２から図４に示すのは、本考案の一実施形態による箸用の保持具５０であり、以下を備える。
握り体３０は、棒状である。握り体３０は、円形、方形、多辺形及び幾何形状で構成されるものを含む。握り体３０は、本実施形態においては、プラスチック及び金属材料のいずれかで構成されるものを含むが、この限りではない。
【０００７】
ワンタッチジョイント４０は、その上端は握り体３０の底端部３１を繋ぎ固定する。対応するもう一方の端は差込み穴４３を形成し、短い使い捨て箸２０の上端２１をはめ込み、位置を決めるために使用する。
本実施形態のワンタッチジョイント４０は、次を有する。
ジョイント本体４１は、その上端の凹溝４２において握り体３０の底端部３１を連結し固定する。ジョイント本体４１の底部は、口が下を向いている差込み穴４３を形成する。
【０００８】
外環カバー４５は、ジョイント本体４１の外周縁のへこみ面との間に、第一スプリング４４を設けている。
少なくとも１個のストッパーエレメント４７は、差込み穴４３内に設けられる。また、ストッパー４８は、差込み穴４３の外周壁にはめ込まれ、外環カバー４５の下端に限って用いられる。
また、差込み穴４３内の底面は、更に第二スプリング４９を有している。第二スプリング４９の自由端は、ばね頂部４９１を有する。
【０００９】
ストッパーエレメント４７は、ボールを有し、それはジョイント本体４１の壁面の取付穴４６内に取り付けられる。取付穴４６は外が広くて内が狭い。ストッパーエレメント４７のボールは、球体の１／２より小さい部分が差込み穴４３内から凸出している。また、外環カバー４５の内縁面は、取付穴４６の外側面に対応してストッパーエレメント４７のボールを押す凸面４５１を有し、ストッパーエレメント４７のボールを差込み穴４３内の使い捨て箸２０に止める。使い捨て箸２０は、差込み穴４３内のストッパーエレメント４７のボールの位置に対応し、前記ボールが入りこむ凹溝状の位置決め部２２を有する。使い捨て箸２０は、９ｃｍ以内の短い形であってもよい。
【００１０】
図５及び図６に示すのは、本実施形態の使用状態を示す部分断面図である。使い捨て箸２０の上端２１にワンタッチジョイント４０を挿入し、ばね頂部４９１を上昇させる。このとき、ボール４７は内へ向かって転がり、更に使い捨て箸２０の位置決め部２２で固定され、使い捨て箸２０をワンタッチで位置決めして繋ぐ。このとき、外環カバー４５は第二スプリング４４の推す力を受けて下へ向かって移動し、またその凸面４５１によりストッパーエレメント４７のボールを抑えつけ、固定され脱落することがない。
【００１１】
食事に使用した後は、ワンタッチジョイント４０中の外環カバー４５をもう一端へ移動させて、凸面４５１をボール４７から離す。このとき、ストッパーエレメント４７のボールが自動的に外に向かって転がり、同時に使い捨て箸２０が第二スプリング４４及びそのばね頂部４９１の反作用の力を受けて弾け開き、ワンタッチで使い捨て箸２０を分離することができる。このとき、ばね頂部４９１は、またストッパーエレメント４７のボールの位置に戻り、使い捨て箸２０を次回使用するときに挿入するのに便利である。
【００１２】
これにより、本考案の特徴は以下の通りである。
（１）使い捨て箸の長さを従来の竹箸の約半分の寸法に縮め、省エネルギー及び排出削減のエコロジー効果を得る。
（２）再使用でき、且つワンタッチできっちりと固定して箸を繋ぐ、離すという効果を有する。
【００１３】
これまでに述べたとおり、本考案が掲示する構成は、これまでにないものであり、且つ効果の増進を確実に行い、また産業上の利用性を有する。
しかし、上述に指摘する図、説明は、ただ本考案の好ましい実施形態であり、おおよそこの技術に通じているものが、本考案の精神の範疇で行う修飾や等量変化は、本実用新案登録請求の範囲内に包含するべきである。
【図面の簡単な説明】
【００１４】
【図１】従来の衛生洗い不要な竹箸の斜視図。
【図２】本考案の一実施形態による箸用の保持具に使用する使い捨て箸を示す斜視図。
【図３】本考案の一実施形態による箸用の保持具を示す分解斜視図。
【図４】本考案の一実施形態による箸用の保持具を示す断面図。
【図５】本考案の一実施形態による箸用の保持具の使用状態を示す部分断面図。
【図６】本考案の一実施形態による箸用の保持具の使用状態を示す部分断面図。
【符号の説明】
【００１５】
２０：使い捨て箸、２１：上端、２２：位置決め部、３０：握り体、３１：底端部、４０：ワンタッチジョイント、４１：ジョイント本体、４２：凹溝、４３：差込み穴、４４：第一スプリング、４５：外環カバー、４５１：凸面、４６：取付穴、４７：ストッパーエレメント、４８：ストッパー、４９：第二スプリング、４９１：ばね頂部、５０：箸用の保持具
【図１】
0003143925.tif 000003
【図２】
0003143925.tif 000004
【図３】
0003143925.tif 000005
【図４】
0003143925.tif 000006
【図５】
0003143925.tif 000007
【図６】
0003143925.tif 000008